(57)【特許請求の範囲】
【請求項１】
アルミ押出材の表面にラッピングフィルムをラッピングして該ラッピングフィルム面に光の反射拡散による陰影感を醸成するようにしたアルミ建材であって、
上記アルミ押出材は内部に中空部を有して筒状に構成されたものであり、
上記アルミ押出材の表面を、幅１〜３ｃｍ程度、深さ３ｍｍ程度以下にして短手方向に幅及び／又は最大深さを不規則に変化した微細緩傾斜乃至水平面を並列配置して形成した細幅帯状極浅の屈曲凹凸表面としてなり、
上記アルミ押出材の屈曲凹凸表面の短手方向中間に、手触により特定部位を表示自在とした手触溝又は手触突条を配置してなり、
上記手触溝又は手触突条に対向する上記アルミ押出材の内面には、上記アルミ押出材の厚み方向にネジが螺合されるネジ受け部を設け、該ネジ受け部は上記アルミ押出材の内面の厚み方向に隆起していることを特徴とするアルミ建材。
【請求項２】
上記屈曲凹凸表面における細幅帯状極浅の微細緩傾斜乃至水平面を、その隣接相互の内角又は外角に半径５〜２０ｍｍ程度の微小曲面を配置して連結してなることを特徴とする請求項１に記載のアルミ建材。
【請求項３】
上記アルミ押出材をホロー材とするともにその外周面の全部又は一部に上記屈曲凹凸表面を形成し且つ該屈曲凹凸表面に上記ラッピングフィルムをラッピングしてなることを特徴とする請求項１又は２に記載のアルミ建材。
【請求項４】
上記ラッピングフィルムを、模様表出有色のラッピングフィルムとしてなることを特徴とする請求項１、２又は３に記載のアルミ建材。
【発明の詳細な説明】
【技術分野】
【０００１】
本発明は、ラッピングフィルムをラッピングして形成したアルミ建材に関する。
【背景技術】
【０００２】
この種のアルミ建材として、アルミ押出材の表面にラッピングフィルムをラッピングして、アルミ建材の外観を良好にすることが行われており、本出願人は、下記特許文献１によって、エクステリア分野で使用するように、例えば、玄関入口の支柱フェンスの、断面方形、矩形、円形等の支柱に、木材の柾目、板目等の木質模様のラッピングフィルムをラッピングしたものを提案済みであり、該特許文献１にあっては、該支柱が中空であることから、その上端の開口を閉塞する閉塞プレートを配置するに際して、該閉塞プレートを、例えば、支柱と同一模様のラッピングフィルムでラッピングするとともに該ラッピングフィルムを、閉塞プレートの表面から側面を介して裏面外周端部に至るようにラッピングすることによって、閉塞プレートの材質、例えば、合成樹脂が支柱上端に露出するのを防止して、支柱と閉塞プレートの一体感を確保したものとされる。
【先行技術文献】
【特許文献】
【０００３】
【特許文献１】特願２０１０−４２８８号
【発明の概要】
【発明が解決しようとする課題】
【０００４】
アルミ押出材は、上記支柱の他、エクステリア分野に限っても、門扉、フェンス、バルコニー等の構造材や仕切材として多用されるが、これらにラッピングフィルムをラッピングして商品外観を更に良好にすることを意図すると、一般にアルミ押出材は、その表面をフラットな曲面や平面とすることが多いところ、該表面を凹凸面として、これにラッピングフィルムをラッピングすれば、上記曲面や平面にラッピングしたものに比して、ラッピングフィルム面に、光の反射乃至拡散による陰影感を付与して、ラッピングフィルムの模様、色調と相俟って、独特な趣きを呈することが可能となり、従って、ラッピングフィルムをラッピングすることでアルミ押出材の利用可能性を更に拡大することができるものと見られる。
【０００５】
本発明はかかる事情に鑑みてなされたもので、その解決課題とするところは、アルミ押出材の表面にラッピングしたラッピングフィルム面に対して、光の反射乃至拡散による陰影感を付与することによって、独特の趣きのある良好な外観を呈するようにしたアルミ建材を提供するにある。
【課題を解決するための手段】
【０００６】
上記課題に沿って本発明は、アルミ押出材の表面にラッピングしたラッピングフィルム面における光の反射乃至拡散を可及的多面的に行って、該反射乃至拡散による光の比較的淡い陰影感を付与するとともにこれを面内で多様に変化して独特の趣きを呈するものとするように、アルミ押出材の表面を、特定の微小な範囲とした幅及び／又は最大深さを不規則に変化して配列した微細緩傾斜乃至水平面よりなる細幅帯状極浅の屈曲凹凸表面としたものである。
即ち、請求項１に記載の発明を、アルミ押出材の表面にラッピングフィルムをラッピングして該ラッピングフィルム面に光の反射拡散による陰影感を醸成するようにしたアルミ建材であって、上記アルミ押出材は内部に中空部を有して筒状に構成されたものであり、上記アルミ押出材の表面を、幅１〜３ｃｍ程度、深さ３ｍｍ程度以下にして短手方向に幅及び／又は最大深さを不規則に変化した微細緩傾斜乃至水平面を並列配置して形成した細幅帯状極浅の屈曲凹凸表面としてなり、上記アルミ押出材の屈曲凹凸表面の短手方向中間に、手触により特定部位を表示自在とした手触溝又は手触突条を配置してなり、上記手触溝又は手触突条に対向する前記アルミ押出材の内面には、上記アルミ押出材の厚み方向にネジが螺合されるネジ受け部を設け、該ネジ受け部は上記アルミ押出材の内面の厚み方向に隆起していることを特徴とするアルミ建材としたものである。
【０００７】
請求項２記載の発明は、上記に加えて、上記アルミ押出材の屈曲凹凸表面に対するラッピングフィルムのラッピングが、微細緩傾斜乃至水平面の連結部位を含めて、表面に確実に密着することによって、ラッピング不良乃至これによる膨れや気泡の残存のないものとするように、これを、上記屈曲凹凸表面における細幅帯状極浅の微細緩傾斜乃至水平面を、その隣接相互の内角又は外角に半径５〜２０ｍｍ程度の微小曲面を配置して連結してなることを特徴とする請求項１に記載のアルミ建材としたものである。
【０００８】
請求項３に記載の発明は、同じく上記に加えて、アルミ押出材をホロー材としてその全面又は部分的にラッピングフィルムをラッピングすることによって、各種のアルミ建材に適用したものとするように、これを、上記アルミ押出材をホロー材とするともにその外周面の全部又は一部に上記屈曲凹凸表面を形成し且つ該屈曲凹凸表面に上記ラッピングフィルムをラッピングしてなることを特徴とする請求項１又は２に記載のアルミ建材としたものである。
【００１０】
請求項４に記載の発明は、同じく上記に加えて、ラッピングフィルムを、天然木、天然石、風景等の適宜の有色模様を表出したものとすることによって、各種のアルミ建材に適用したものとするように、これを、上記ラッピングフィルムを、模様表出有色のラッピングフィルムとしてなることを特徴とする請求項１、２又は３に記載のアルミ建材としたものである。
【００１１】
本発明はこれらをそれぞれ発明の要旨として上記課題解決の手段としたものである。
【発明の効果】
【００１２】
本発明は以上のとおりに構成したから、請求項１に記載の発明は、アルミ押出材の表面
を、特定の微小な範囲とした幅及び／又は最大深さを不規則に変化して配列した微細緩傾
斜乃至水平面よりなる細幅帯状極浅の屈曲凹凸表面として、アルミ押出材の表面にラッピ
ングしたラッピングフィルム面が、光の方向や角度に応じてその反射乃至拡散を可及的多
面的に行って光の比較的淡い陰影感を付与するとともにこれを面内で多様に変化して独特
の趣きのある良好な外観を呈するようにしたアルミ建材を提供することができる。また、アルミ押出材を屈曲凹凸表面とすることによって、肉視し難いネジ固定箇所等の特定部位を手触によって判別することによって、組立や設置工事を容易になし得るものとすることができる。
【００１３】
請求項２に記載の発明は、上記に加えて、上記アルミ押出材の屈曲凹凸表面に対するラッピングフィルムのラッピングが、微細緩傾斜乃至水平面の連結部位を含めて、表面に確実に密着することによって、ラッピング不良乃至これによる膨れや気泡の残存のないものとすることができる。
【００１４】
請求項３に記載の発明は、同じく上記に加えて、アルミ押出材をホロー材としてその全面又は部分的にラッピングフィルムをラッピングすることによって、各種のアルミ建材に適用したものとすることができる。
【００１６】
請求項４に記載の発明は、同じく上記に加えて、ラッピングフィルムを、天然木、天然石、風景等の適宜の有色模様を表出したものとすることによって、各種のアルミ建材に適用したものとすることができる。
【図面の簡単な説明】
【００１７】
【図１】アルミ建材の横断面図である。
【図２】アルミ押出材へのラッピングの状態を示す説明用の横断面である。
【図３】アルミ押出材表面の微細緩傾斜乃至水平面の幅及び深さを示す説明用の表面図である。
【図４】図３の部分拡大図である。
【図５】アルミ押出材表面の微細緩傾斜乃至水平面とこれらを連結する微小曲面を示す説明用の表面図である。
【図６】図５の部分拡大図である。
【発明を実施するための形態】
【００１８】
以下図面の例に従って本発明を更に説明すれば、Ａは、例えば、エクステリア分野の門扉、フェンス等の仕切体に縦桟又は横桟として使用するように構成したアルミ建材であり、該アルミ建材Ａは、アルミ押出材１と、該アルミ押出材１の表面にラッピングしたラッピングフィルム２を備え、そのラッピングフィルム２面に光の反射拡散による陰影感、特に淡い陰影感を醸成するようにしたものとしてある。
【００１９】
本例にあってアルミ押出材１は、これを、ホロー材としてあり、このとき該アルミ押出材１は、上記縦桟又は横桟として使用するに適したものとするように、幅方向中央に補強リブ１５を配置して中空部を幅方向に２分し、図上の上下に位置する表裏面の横幅を１５ｃｍ程度以下、例えば１２〜１３ｃｍ程度、図上の左右に位置する側面の縦幅を２ｃｍ程度以下、例えば１．５ｃｍ程度として成形した押出成形材に切断等の加工を施して、所定長さの長尺に形成したものとしてある。このとき、該アルミ押出材１は、その上記２区分した中空部の中央から幾分幅方向端部側に変位した位置を、横枠や支柱乃至縦枠の基枠に対する固定箇所とするように、該位置の中空部の内面に部分的に隆起したネジ受部１６を対向配置し、該ネジ受部１６を対向配置することにより、設置に際して表裏をなくして、表裏面のいずれをも正面又は背面として使用して正背面を同一デザインとした仕切体を形成し得るようにしてある。
【００２０】
アルミ押出材１は、その表面を、幅１〜３ｃｍ程度、深さ３ｍｍ程度以下にして短手方向に幅及び／又は最大深さを不規則に変化した微細緩傾斜乃至水平面１２を並列配置して形成した細幅帯状極浅の屈曲凹凸表面１１としてあり、上記ホロー材とした本例にあって、その外周面の全部又は一部、例えば、側面を除いた表裏面にそれぞれ上記屈曲凹凸表面１１を形成し且つ該屈曲凹凸表面１１に上記ラッピングフィルム２をラッピングしたものとしてあり、このとき上記屈曲凹凸表面１１における細幅帯状極浅の微細緩傾斜乃至水平面１２は、これを、その隣接相互の内角又は外角に半径５〜３０ｍｍ程度の微小曲面１３を配置して連結したものとしてあり、また、本例にあって、上記アルミ押出材の屈曲凹凸表面１１の短手方向中間に、手触により特定部位、本例にあっては上記基枠に対するネジ受部１６表面に固定部位を表示自在とした手触溝又は手触突条、例えば手触溝１４を配置したものとしてある。
【００２１】
即ち、アルミ押出材の上記屈曲凹凸表面１１は、並列配置した微細緩傾斜乃至水平面１２によって幅及び／又は最大深さを不規則変化した細幅帯状極浅のものとしてあり、これを、図面に従って例示すると、図３、図４に示すように、該屈曲凹凸表面１１は、図上の左側一方の平坦端部から右側他方の平坦端部までの間に、例えば、その上記左側一方の平坦端部に隣接して２．５ｍｍの下方緩傾斜、２．５ｍｍの水平、２ｍｍの上方緩傾斜、２ｍｍの水平、２ｍｍの下方緩傾斜、４．５ｍｍの水平、３．５ｍｍの上方緩傾斜、１．５ｍｍの下方緩傾斜、２ｍｍの下方緩傾斜、２ｍｍの水平、１．５ｍｍの上方緩傾斜、２ｍｍの水平、２．５ｍｍの下方緩傾斜、３ｍｍの水平、更に上記手触溝１４をなすように３．５ｍｍの下方緩傾斜、２ｍｍの水平、２ｍｍの上方緩傾斜、該手触溝を越えて、更に４ｍｍの水平、２．５ｍｍの上方緩傾斜・・・とする如くに、幅１〜３ｃｍ程度、特に１ｃｍ以下の好ましい幅の微細緩傾斜乃至水平面１２を配置し、更に右側他方に向けてそれぞれ適宜に設定した幅の微細緩傾斜乃至水平面１２を配置したものとしてある。
【００２２】
このとき、これら本例の微細緩傾斜乃至水平面１２は、その凹凸深さを０ｍｍ、即ち、本例にあっては上記平坦端部と同一面位置から、下方緩傾斜の緩傾斜面の下端位置で最大でも３ｍｍ程度以下とするようにしてあり、本例の下方緩傾斜は、０．２ｍｍ、０．３ｍｍ又は０．４ｍｍをなすように、特に０．５ｍｍ以下の好ましい深さをなすものとしてある。
【００２３】
また、上記屈曲凹凸表面１１における細幅帯状極浅の微細緩傾斜乃至水平面１２の連結を行った微小曲面１３を図面に従って例示すると、図５、図６に示すように、該微小曲面１３は、同じく図上の左側一方の平坦端部から右側他方の平坦端部までの間の上記緩傾斜乃至水平面１２間で、例えば、その左側一方の平坦端部とこれに隣接する下方傾斜面においてその半径Ｒを６ｍｍ、次いで該下方傾斜面と水平面においてＲ２０ｍｍ、以下Ｒ１０ｍｍ、Ｒ１０ｍｍ、Ｒ１０ｍｍ、Ｒ１０ｍｍ、Ｒ２０ｍｍ、Ｒ５ｍｍ、Ｒ１０ｍｍ、Ｒ１０ｍｍ、Ｒ６ｍｍ、Ｒ１０ｍｍ、Ｒ１０ｍｍ、Ｒ２０ｍｍ、Ｒ１０ｍｍ、Ｒ１０ｍｍ、Ｒ１０ｍｍ、Ｒ１５ｍｍ・・・とする如くに、隣接相互の内角又は外角をＲ５〜３０ｍｍ、特にＲ１０ｍｍを主としてＲ５ｍｍ〜Ｒ２０ｍｍをなす好ましい半径の微小曲面１３によって連結したものとしてある。
【００２４】
該アルミ押出材１の表面には、これにラッピングフィルム２をラッピングしてあり、このとき該ラッピングは、例えば、表裏用２面のラッピングフィルム２を用い、その幅方向両端をアルミ押出材１の両側面でそれぞれ部分的に重合し、アルミ押出材１の表裏を各ラッピングフィルム２で被覆するように行ってある。ラッピングフィルム２は、これを、模様表出有色、本例にあっては、例えば天然木の色調と木目乃至柾目を表出した、非塩ビ系の１００乃至２００μｍ程度の薄肉の高耐候性樹脂フィルムを用いて、アルミ押出材１の表裏の屈曲凹凸表面１１と側面の平坦面に対してローラーによって同時又は個別に密着するように行ってあり、これによって、アルミ押出材１の表裏にあって、該ラッピングフィルム２を、上記微細緩傾斜乃至水平面１２を並列配置した屈曲凹凸表面１１に沿う微細表面形状をなすようにしてある。
【００２５】
このときアルミ押出材１は、微細緩傾斜乃至水平面１２を隣接相互に上記微小曲面１３で連結したことによって、ラッピングフィルム２の屈曲部位が該微小曲面１３に馴染んで、該ラッピングフィルム２にラッピング不良乃至これによる膨れや気泡が発生したりすることなく、美麗な表面形状を確保したものとすることができる。
【００２６】
本例のアルミ建材Ａは、アルミ建材Ａの表裏において、その上記屈曲凹凸表面１１に沿う表面形状を有するラッピングフィルム２面を備えたものとなるから、全体としてなだらかな凹凸をなすようにアルミ押出材１に配置した、上記幅、深さを有する微細緩傾斜乃至水平面１２によって、ラッピングフィルム２の表面が、光の方向や角度に応じた反射乃至拡散を可及的多面的に行い、該反射乃至拡散によって面方向に変化する多様な淡い陰影感を付与したものとなり、上記ラッピングフィルム２の模様や色調と相俟って、独特の趣き、天然木の色調と木目又は柾目を表出した本例にあっては天然木の印象の良好な外観を呈するものとして、屋外に設置する門扉、フェンス等の仕切体に用いる上で好適なものとすることができる。
【００２７】
上記アルミ押出材１の上記微細緩傾斜乃至水平面１２は、その幅及び深さを、上記幅１〜３ｃｍ程度、深さ３ｍｍ程度以下、また、微小曲面１３を、半径５〜３０ｍｍ程度の範囲で適宜に設定することによって、これにラッピングしたラッピングフィルム表面に光の陰影感を付与するとともにラッピング不良のないものとすることができるが、幅及び深さによってはアルミ押出材１表面の凹凸印象が強まり違和感を招く可能性もあるので、ラッピングフィルム２の模様や色調に応じて、上記微細傾斜乃至水平面１２の幅を１〜２ｃｍ程度、深さを１ｍｍ程度以下の細幅のものとすることが好ましいことがあり、また、微小曲面１３の半径は、ラッピング不良を生じない程度にして該曲面１３の存在を強調したりすることのないように、これを深さ５〜２０ｍｍ程度以下とすることが好ましいことがある。
【００２８】
図示した例は以上のとおりとしたが、アルミ建材として、幅広乃至幅狭の板材、円柱、角柱等のアルミ押出材を用いることによって各種用途のものとして形成すること、上記手触溝に代えて手触突条とすること等を含めて、アルミ押出材、ラッピングフィルム、微細緩傾斜乃至水平面、屈曲凹凸表面、必要に応じて用いる微小曲面、手触溝又は手触突条の各具体的形状、構造、材質、これらの関係、これらに対する付加等は、上記発明の要旨に反しない限り様々な形態のものとすることができる。
【符号の説明】
【００２９】
Ａ  アルミ建材
１  アルミ押出材
１１  屈曲凹凸表面
１２  微細傾斜乃至水平面
１３  微小曲面
１４  手触溝
１５  補強リブ
１６  ネジ受部
２  ラッピングフィルム
【図１】
0005810438.tif 000002
【図２】
0005810438.tif 000003
【図３】
0005810438.tif 000004
【図４】
0005810438.tif 000005
【図５】
0005810438.tif 000006
【図６】
0005810438.tif 000007